(57)【要約】      （修正有）【課題】耳掛け部を耳に掛けないでマスク本体を、かぜ症候群や花粉対策等のために装着できるようにしたマスク止め具を提供する。【解決手段】マスク止め具１は、バネ性を有する偏平細長板材からなる後頭部当て体２の対向端部に、マスク本体の耳掛け部を把持できる形状を備えた係止部３，３’を設け、耳掛け部を耳に掛けないで後頭部当て体の係止部に止めることによりマスク本体が装着できるようにしたこと、前記後頭部当て体の対向端部を複数に分岐し、各端部に係止部を設けることにより後頭部当て体を幅広にして後頭部に安定的に当てられるようにしたこと、更に、前記係止部が、内向きに１段又は２段以上備えられ、頭の大きさに大小の差、大人と子供の差や耳掛け部の伸び率の差などがあっても常にピッタリと装着できる。【選択図】図１
2011115449.tif 000002
【特許請求の範囲】
【請求項１】
バネ性を有する偏平細長板材からなる後頭部当て体の対向端部に、マスク本体の耳掛け部を把持できる形状を備えた係止部を設けたことを特徴とするマスク止め具。
【請求項２】
前記後頭部当て体の対向端部が、複数に分岐していることを特徴とする請求項１に記載のマスク止め具。
【請求項３】
前記係止部が、内向きに１段又は２段以上備えられていることを特徴とする請求項１に記載のマスク止め具。
【発明の詳細な説明】
【技術分野】
【０００１】
本発明は、マスク本体を、耳掛け部を耳に掛けないで装着できるようにしたマスク止め具に関するものである。
【背景技術】
【０００２】
一般に耳掛け部を有するマスクは、特に、かぜ症候群や花粉対策用では多い。マスクはウイルスや花粉による喉の刺激で粘膜の抵抗力が低下するのをくい止めるために装着される。最近、耳掛け部を有するマスクとして出回っているものとして、例えば、特開２００２−１３６６１５号公報のもの、特開２００４−３１３４１５号公報のものがある。前者はマスク本体に、茶の抽出成分を添着した点に特徴を有し、後者はマスク本体を構成する繊維シートにアスコルビン酸誘導体を固着した点に特徴を有している。これら茶の抽出成分もアスコルビン酸誘導体も抗ウイルスとして効果的であるとされている。
【特許文献１】特開２００２−１３６６１５号公報
【特許文献２】特開２００４−３１３４１５号公報
【発明の開示】
【発明が解決しようとする課題】
【０００３】
しかしながら、耳掛け部を有するマスクは、抗ウイルス対策でも花粉対策でも耳掛け部を耳に掛けて長時間装着することが多く、耳掛け部が耳の裏に強く食い込んで痛みを覚えることがある。また、耳掛け部を有するマスクは、他人との会話や物（菓子やガムなど）を食べるときや飲み物を飲むときなどに耳掛け部を耳に掛けたままマスク本体を顎の下にズラすことがあるが、これは一時的とは言え、耳掛け部が耳の裏に強く刺激を与えることから耳に大きな負担を与えるという問題があった。
【０００４】
本発明は、上記の問題を解消するためのもので、その目的とするところは、耳に負担をかけないでマスクをかぜ症候群や花粉対策等のために装着できるようにしたマスク止め具を提供する点にある。
【課題を解決するための手段】
【０００５】
上記目的を達成するため、本発明に係るマスク止め具は、バネ性を有する偏平細長板材からなる後頭部当て体の対向端部に、マスク本体の耳掛け部を把持できる形状を備えた係止部を設けたことを特徴とし、耳掛け部を後頭部当て体の係止部に止めることによりマスクの装着ができるように構成した。
【０００６】
また、請求項２に記載のマスク止め具は、前記後頭部当て体の対向端部が、複数に分岐していることを特徴とし、各端部に設けた係止部に耳掛け部を止めることにより後頭部当て体を後頭部に安定させ得るように構成した。
【０００７】
また、請求項３に記載のマスク止め具は、前記係止部が、内向きに１段又は２段以上備えられていることを特徴とし、頭の大きさに大小の差、大人と子供の差や耳掛け部の伸び率の差などがあっても常にピッタリと装着できるように構成した。
【発明の効果】
【０００８】
本発明のマスク止め具によれば、耳掛け部を後頭部当て体の係止部に止め、耳掛け部を耳に掛けずに装着できるので、マスクを長時間装着しても耳掛け部が耳の裏に食い込むことがなく、しかも他人との会話や物を食べるときなどに耳掛け部を耳に掛けたままマスク本体を顎の下にズラすことがあっても耳を痛めたり耳に必要以上の負担を掛けることがないという優れた効果を奏する。
【０００９】
また、請求項２に記載のマスク止め具によれば、前記後頭部当て体の対向端部が、複数に分岐し、各端部に設けた係止部に耳掛け部を止めることにより後頭部当て体を後頭部に安定させて装着感を良好にするという優れた効果を奏する。
【００１０】
また、請求項３に記載のマスク止め具によれば、頭の大きさに大小の差、大人と子供の差や耳掛け部の伸び率の差などがあっても常にピッタリとマスクの装着ができるという優れた効果を奏する。
【発明を実施するための最良の形態】
【００１１】
次に、本発明の実施の態様を添付図面に基づいて説明する。図１は本願止め具を示す平面図、図２は本願止め具の断面正面図、図３は後頭部当て体の変形例を示し、（ａ）はＸ型、（ｂ）はＫ型、（ｃ）はＨ型、（ｄ）はＹ型、図４は係止部の拡大断面図で、（ａ）は側面断面図、（ｂ）は正面断面図、図５は本願止め具とマスクの耳掛け部との関係を示す斜視図、図６はマスク装着状態を示す顔の側面図である。
【００１２】
本願止め具１は、偏平細長板材からなる後頭部当て体２の対向端部に、マスク本体１０の耳掛け部１１、１１′を把持できる形状を備えた係止部３、３′を設けている。該係止部３、３′は、図１及び図２の如く、内向きに２段づつ設けられている。もちろん、内向きに１段であってもよいが、頭の大きさには大小の差があるし、大人と子供の差や耳掛け部の伸び率の差などがある。その場合でも常にピッタリと装着できるようにするには複数段（２段以上）設けることが好ましい。すなわち、対向端部に２段づつ設けた場合において、外の係止部３と外の係止部３、外の係止部３と内の係止部３′、内の係止部３′と内の係止部３′の如くである。
【００１３】
前記後頭部当て体２は、人間の後頭部に当てるためのもので、後頭部の丸み形状に沿って曲げても元に復帰できるバネ性を備えた素材、例えば、プラスチック材で成形するとよい。プラスチック材のうちでも、特に、ＬＤＰＥ製のものは、復帰性及びバネ性に優れる上に、「燃えるゴミ」と一緒に捨てられる点でより好ましい。
【００１４】
前記後頭部当て体２の形態として具体的には、Ｉ型（図１のもの）で、長さ１１０ｃｍ〜１５０ｃｍ、横幅８０ｍｍ〜１２０ｍｍ、厚さ０．８ｍｍ〜１．５ｍｍ位がよい。もちろん、Ｉ型のみに限らず、例えば、図３（ａ）の如く、中央部にてＸ状に分岐し、対向端部を各２個にしたものでも、同（ｂ）の如く、中央部にてＫ状に分岐し、対向端部を各２個にしたものでも、同（ｃ）は中央部にてＨ状に分岐し、対向端部を各２個にしたものでもよい。これらは、後頭部当て体２が幅広になるので、後頭部に当てたときに、より安定し、マスク装着感を更に良好にする。また、同（ｄ）の如く、Ｙ型にしたものでもよい。これは対向端部のうち、一方を各２個にし、他方を１個にしたものである。
【００１５】
前記係止部３は、マスク本体１０の耳掛け部１１、１１′を把持できる形状を備えている。「把持できる形状」とは、図４（ａ）の如く、透孔３ａをあけ、該透孔３ａの内縁から内向きにフック３ｂを上向き傾斜し、その先端側を水平に戻し、その水平部下面にボッチ３ｃを設けてなる。すなわち、透孔３ａと上向き傾斜したフック３ｂの奥側には楔状の隙間ができ、マスク本体１０の耳掛け部１１（１１′）を食い込ませるように把持できるようになっている。又、前記透孔３ａは耳掛け部１１（１１′）を、図４（ａ）の如く、凹状に屈曲させ、フック３ｂとの間に食い込ませるようにしている。更に、ボッチ３ｃはフック３ｂにいったん係止された耳掛け部１１（１１′）を外れにくくしている。
【００１６】
前記後頭部当て体２と、その端部に設けた透孔３ａと、その内縁から内向きに傾斜設置したフック３ｂと、その先端下面に設けたボッチ３ｃは射出成形により得られる。ここに「射出成形」とは、プチスチック材料（ＬＤＰＥ）を加熱によって溶融、流動状態とし、所望の型［例えば、図１、図３（ａ）〜（ｄ）の形状につくられたもの］に流し込み、冷却によって固化定着させる方法である。もちろん、射出成形以外の方法で得ることができるならば、その方法によることもある。
【００１７】
なお、前記係止部３は、図示していないが、後頭部当て体２のエッジに内向きの鋸刃状の凹溝を設けてもよい。かかる場合にも、鋸刃状の凹溝の奥側を楔状にし、前記耳掛け部１１（１１′）をその楔部に食い込ませるように把持できるようにすることがよい。
【００１８】
次に、本願止め具１の使用方法について説明する。まず、本願止め具１を構成する後頭部当て体２の一方の端部に設けた係止部（フック３ｂ）３を、図５の如く、前記マスク本体１０の耳掛け部１１に引っ掛ける。次に、マスク本体１０を鼻、口に当てるとともに、後頭部当て体２を後頭部にまわしてから他方の端部に設けた係止部（フック３ｂ）３をマスク本体１０の耳掛け部１１′に引っ掛ける。この引っ掛け作業は頭の後ろで行うため、目視できないが、後頭部当て体２の他方の端部を図５の如く内側に屈曲させると、係止部（フック３ｂ）が外側に向かって飛び出るのでより引っ掛け易くなる。
【００１９】
かくして、前記マスク本体１０は、鼻、口に当てた状態で、図６の如く、本願止め具１を介して確実に止められ、耳掛け部１１、１１′を耳に掛けないから、長時間マスクをしていても耳の裏に強く刺激を与えたり、必要以上に耳に負担を与えることがない。また、本願止め具１を介して耳掛け部１１、１１′を引っ張るため、マスク本体１０の側面が顔面（頬部）に密着し、くしゃみや咳を側面から漏らさないという機能も得られる。
【産業上の利用可能性】
【００２０】
本願のマスク止め具は、耳に負担をかけないでマスクをかぜ症候群や花粉対策等のために装着できるもので、医療分野においても広く利用することが可能なものである。
【図面の簡単な説明】
【００２１】
【図１】本願止め具を示す平面図である。
【図２】本願止め具の断面正面図である。
【図３】後頭部当て体の変形例を示し、（ａ）はＸ型、（ｂ）はＫ型、（ｃ）はＨ型、（ｄ）はＹ型である。
【図４】係止部の拡大断面図で、（ａ）は側面断面図、（ｂ）は正面断面図である。
【図５】本願止め具とマスクの耳掛け部との関係を示す斜視図である。
【図６】マスク装着状態を示す顔の側面図である。
【符号の説明】
【００２２】
１  本願止め具
２  後頭部当て体
３、３′  係止部
３ａ  透孔
３ｂ  フック
３ｃ  ボッチ
１０  マスク本体
１１、１１′  耳掛け部
【図１】
2011115449.tif 000003
【図２】
2011115449.tif 000004
【図３】
2011115449.tif 000005
【図４】
2011115449.tif 000006
【図５】
2011115449.tif 000007
【図６】
2011115449.tif 000008